(57)【要約】通電導体３と、この通電導体３に流れる電流の磁束に誘起されて電力を発生する電力発生部と、この電力発生部で発生された電力を動力源とする電気機器部５と、電力発生部の出力を短絡することができる短絡スイッチ６と、通電導体３、電力発生部、および電気機器部５を内包し絶縁性流体が封入された密閉容器２とを備える電力機器である。この電力機器は、交流電力系統で用いられ、通電導体の通電状態が維持された状態で電気機器部５を停止させる際に、電力発生部に過大な電圧が誘起されることのない信頼性の高い電力機器である。
2017122442.tif 000002
【特許請求の範囲】
【請求項１】
通電導体と、
この通電導体に流れる電流の磁束に誘起されて電力を発生する電力発生部と、
この電力発生部で発生された電力を動力源とする電気機器部と、
前記電力発生部の出力を短絡することができる短絡スイッチと、
前記通電導体、前記電力発生部、および前記電気機器部を内包し絶縁性流体が封入された密閉容器と
を備えたことを特徴とする電力機器。
【請求項２】
前記電気機器部への電力の供給を遮断する切り離しスイッチをさらに備えた
ことを特徴とする請求項１に記載の電力機器。
【請求項３】
前記短絡スイッチに直列に接続する抵抗体をさらに備えた
ことを特徴とする請求項２に記載の電力機器。
【請求項４】
前記通電導体に流れる電流量を計測する変流器をさらに備え、
前記変流器で計測された電流量に基づいて前記短絡スイッチが制御される
ことを特徴とする請求項1から請求項３のいずれか１項に記載の電力機器。
【請求項５】
前記電力発生部は、
中央に前記通電導体が貫通したリング状のコイルである
ことを特徴とする請求項1から請求項４のいずれか１項に記載の電力機器。
【請求項６】
前記通電導体は、
この通電導体に流れる電流を遮断する遮断部を備えた
ことを特徴とする請求項1から請求項５のいずれか１項に記載の電力機器。
【請求項７】
前記遮断部は、
固定接点と可動接点とを内包し、前記密閉容器に封入された絶縁性流体と隔離された密閉構造である
ことを特徴とする請求項６に記載の電力機器。
【請求項８】
前記密閉容器の内壁に凹部を有し、前記凹部の内部に前記電気機器部を備えることを特徴とする請求項1から請求項７のいずれか１項に記載の電力機器。
【請求項９】
前記凹部の前記電気機器部を備える部分と、前記密閉容器の前記凹部の前記電気機器部を備える部分以外の部分とを仕切る仕切機構を備えることを特徴とする請求項８に記載の電力機器。
【請求項１０】
前記短絡スイッチまたは前記切り離しスイッチを、前記密閉容器の外側に配置することを特徴とする請求項1から請求項９のいずれか１項に記載の電力機器。
【請求項１１】
前記電気機器部は、
電動ファンあるいは温度センサーである
ことを特徴とする請求項1から請求項１０のいずれか１項に記載の電力機器。
【請求項１２】
前記電力機器は、
ガス絶縁機器である
ことを特徴とする請求項1から請求項１０のいずれか１項に記載の電力機器。
【発明の詳細な説明】
【技術分野】
【０００１】
この発明は、高電圧の交流電力系統において用いられる電力機器に関する。
【背景技術】
【０００２】
高電圧の交流電力系統で用いられる電力機器として、例えばガス絶縁開閉装置がある。
このような電力機器においては、通電部に大電流が流れるため発熱が問題となる。通電部の冷却を行う従来のガス絶縁開閉装置として、通電導体に発生する磁束で起電力を誘起するコイルと、該コイルで誘起された起電力を電源としてファンを駆動する駆動装置とを備えたものが開示されている（例えば、特許文献１参照）。
【先行技術文献】
【特許文献】
【０００３】
【特許文献１】特開２００１−２４５４１０号公報（３頁、図３）
【発明の概要】
【発明が解決しようとする課題】
【０００４】
交流電力系統において用いられる電力機器は、数十年の長期間に渡り停止されることなく連続で使用される。その間、上述のファンやそれを駆動するための駆動装置などは検査あるいは交換などのメインテナンスために停止する必要がある。ファンや駆動装置を停止する場合、その動力源となるコイルの出力端子を開放することになる。一方で交流電力系統に用いられる電力機器においては、上述のようなメインテナンスの間にも通電状態を維持することが望ましい。しかしながら、通電状態を維持した状態でコイルの出力端子を開放すると、コイルの出力端子の抵抗が無限大となりコイルに過大な電圧が誘起されコイルが破損する恐れがあるという課題があった。【０００５】
この発明は、交流電力系統で用いられる電力機器において、通電導体の通電状態が維持された状態で電力発生部を動力源とする機器を停止させる際に、電力発生部に過大な電圧が誘起されることのない信頼性の高い電力機器を得ることを目的とする。
【課題を解決するための手段】
【０００６】
この発明に係る電力機器は、通電導体と、この通電導体に流れる電流の磁束に誘起されて電力を発生する電力発生部と、この電力発生部で発生された電力を動力源とする電気機器部と、電力発生部の出力を短絡することができる短絡スイッチと、通電導体、電力発生部、および電気機器部を内包し絶縁性流体が封入された密閉容器とを備えたものである。
【発明の効果】
【０００７】
この発明は、通電導体に流れる電流の磁束に誘起されて電力を発生する電力発生部の出力を短絡することができる短絡スイッチを備えているので、電力発生部を動力源とする電動機器を停止させる際に、この短絡スイッチを短絡することにより、電力発生部に過大な電圧が誘起されることのない信頼性の高い電力機器を得ることができる。
【図面の簡単な説明】
【０００８】
【図１】この発明の実施の形態１の電力機器の断面模式図である。
【図２】この発明の実施の形態１の電力機器の一部を示す模式図である。
【図３】この発明の実施の形態２の電力機器の断面模式図である。
【図４】この発明の実施の形態３の電力機器の断面模式図である。
【図５】この発明の実施の形態３の電力機器の一部を示す模式図である。
【図６】この発明の実施の形態４の電力機器の断面模式図である。
【図７】この発明の実施の形態４の電力機器の一部を示す模式図である。
【図８】この発明の実施の形態５の電力機器の断面模式図である。
【図９】この発明の実施の形態６の電力機器の断面模式図であり、シャッターが閉鎖している状態を示す。
【図１０】この発明の実施の形態６の電力機器の断面模式図であり、シャッターが開放している状態を示す。
【発明を実施するための形態】
【０００９】
実施の形態１．
図１は、この発明を実施するための実施の形態１に係る電力機器の断面模式図である。
この電力機器は、例えば交流電力系統においてその交流電力の送電線の母線として用いられるガス絶縁機器である。
【００１０】
本実施の形態の電力機器１は、円筒状の密閉容器２の中央に棒状の通電導体３が設置されている。通電導体３は、スペーサ（図示せず）によって密閉容器の中心軸の位置に保持されている。また、通電導体３を中心としてリング状のコイル４が設置されている。このリング状のコイル４は、中央に通電導体３が貫通しており、この通電導体３に流れる電流の磁束に誘起されて電力を発生する電力発生部として機能する。コイル４の出力端子には、このコイル４で発生した電力を動力源とする電気機器部５が接続されている。さらに、コイル４の出力端子には、コイル４の出力を短絡することができる短絡スイッチ６が接続されている。
【００１１】
密閉容器２は、円筒状の金属製の部材がフランジなどによって複数接続されて１つの密閉容器が構成されている。また、通電導体３は、棒状の金属製の部材同士を通電導体接続部７で接続して構成されている。ガス絶縁機器の場合、密閉容器２の内部は絶縁性流体、例えばＳＦ６ガスが充填されている。また、密閉容器２の電位は接地電位、通電導体３の電位は、交流電流が流れる母線となるため、特別高圧の数ｋＶ以上に設定されている。
【００１２】
図２は、本実施の形態におけるコイル４、電気機器部５および短絡スイッチ６の接続関係を示した模式図である。電力発生部であるコイル４は、通電導体３を囲むリング状の鉄心とこの鉄心に銅線が巻きつけられて構成されている。コイル４は、通電導体３を流れる交流電流によって起電力が誘起される。コイル４で発生した電力は、その出力端子に接続された電気機器部５で消費される。本実施の形態においては、電気機器部５として電動ファンを用いている。この電動ファンは、図１に示すように通電導体接続部７の下方に配置されている。
【００１３】
交流電力の送電線の母線として用いられるガス絶縁機器では、通電導体３には数ｋＡ以上の大電流が定常的に流れる。通電導体３の断面積は、大電流が流れても発生する熱量が問題とならないように設計されているが、通電導体接続部７では、金属同士の接触面が存在するためその接触面の高い抵抗値によって発生する熱量が大きくなる。そのため、通電導体接続部７の温度が上昇する。密閉容器２にはＳＦ６ガスなどの絶縁性流体が充填されているので、通電導体接続部７の温度上昇によってその流体に対流が発生し、ある程度は熱拡散されて通電導体接続部７の温度上昇は抑制されるが、温度上昇した流体が密閉容器２の内部の上層部に停滞すると対流が停止して熱拡散の効果が減少する。
【００１４】
本実施の形態の電力機器においては、発熱部である通電導体接続部７の下方に電動ファンを設置しているので絶縁性流体を強制対流させることができ効率よく発熱部を冷却することができる。また、電動ファンの動力源として、通電導体３に流れる電流の磁束に誘起されて電力を発生するコイル４を用いているので、外部電源などの付帯設備が不要である。
【００１５】
交流電力の送電線の母線として用いられるガス絶縁機器では、保守点検、部品交換などのメインテナンス時であっても可能な限り母線の電力を停止させないことが望ましい。なぜなら、一般の交流電力を停止させることは送電系統に接続されている他の機器の過負荷を招く恐れがあり、最悪の場合停電につながるという問題があるからである。このような条件のもとで、電気機器部５の保守点検、部品交換のために電気機器部５を、コイル４の出力端子から切断すると、コイル４の出力端子の抵抗が無限大となる。コイル４の出力端子の抵抗が無限大となるとコイル４に過大な電圧が誘起されコイル４が破損する恐れがある。
【００１６】
本実施の形態では、コイル４の出力を短絡することができる短絡スイッチ６を備えているので、電力発生部であるコイル４を動力源とする電動機器を停止させる際に、短絡スイッチ６を短絡すれば、コイル４に過大な電圧が誘起されることはない。その結果、信頼性の高い電力機器を得ることができる。
【００１７】
なお、本実施の形態においては、電気機器部５として電動ファンを用いた例を説明したが、電動ファンの替わりに温度センサーなどを用いることができる。温度センサーにより発熱部である通電導体接続部７の温度を監視し、ある程度の温度以上になった場合に、通電導体に流れる電流を下げるなどの制御を行うことも可能である。また、本実施の形態においては電動ファンを通電導体接続部の下方に配置したが、密閉容器内部の絶縁性流体を強制対流させることができる位置であれば電動ファンを他の場所に配置してもよい。
【００１８】
実施の形態２．
図３は、この発明を実施するための実施の形態２に係る電力機器の断面模式図である。
この電力機器は、例えば発電機とこの発電機の発電による電圧を昇圧する主変圧器との間に設置されるガス遮断器である。
【００１９】
本実施の形態の電力機器１は、円筒状の密閉容器２の中央に棒状の通電導体３が設置されている。通電導体３は、スペーサ（図示せず）によって密閉容器の中心軸の位置に保持されている。また、通電導体３を中心としてリング状のコイル４が設置されている。このリング状のコイル４は、中央に通電導体３が貫通しており、この通電導体３に流れる電流の磁束に誘起されて電力を発生する電力発生部として機能する。コイル４の出力端子には、このコイル４で発生した電力を動力源とする電気機器部５が接続されている。さらに、コイル４の出力端子には、コイル４の出力を短絡することができる短絡スイッチ６が接続されている。本実施の形態においては、電気機器部５として電動ファンを用いている。
【００２０】
さらに、通電導体３の通電を遮断するための開極および閉極が可能な一対の接点を備えた遮断部１１が備えられている。この遮断部１１は密閉容器２の内部でさらに密閉されており、内部は大気圧以上の絶縁性流体が充填されている。遮断部１１の横にはこの遮断部の内部に備えられた一対の接点を駆動するための駆動機構１２が備えられている。この駆動機構１２は、絶縁ロッド１３を介して密閉容器２の外部に設置された操作装置１４に接続されている。
【００２１】
本実施の形態の電力機器１では、通電導体３は２本に分離されており遮断部１１の内部に備えられた一対の接点で電気的に接続される。図３においては、左側の通電導体３は、一対の接点の一方の接点である固定接点に電気的に接続されており、右側の通電導体３は、導電性の材料で構成された駆動機構カバー１５を介して他方の接点である可動接点に電気的に接続されている。固定接点と可動接点とは、駆動機構によって閉極および開極される。
【００２２】
本実施の形態におけるコイル４、電気機器部５および短絡スイッチ６の接続関係は、実施の形態１と同様である。電動ファンである電気機器部５は、遮断部１１の下方に設置されており、通電導体３を流れる電流によって駆動される。
【００２３】
遮断部１１の内部では、接点同士の接触面が存在するためその接触面の高い抵抗値によって発生する熱量が大きくなる。そのため、接点の温度が上昇する。接点の温度が上昇すると遮断部１１の温度も上昇する。密閉容器２にはＳＦ６ガスなどの絶縁性流体が充填されているので、遮断部１１の温度上昇によってその流体に対流が発生し、ある程度は熱拡散されて遮断部１１の温度上昇は抑制されるが、温度上昇した流体が密閉容器２の内部の上層部に停滞すると対流が停止して熱拡散の効果が減少する。
【００２４】
本実施の形態の電力機器においては、発熱部である遮断部１１の下方に電動ファンを設置しているので絶縁性流体を強制対流させることができ効率よく発熱部を冷却することができる。また、電動ファンの動力源として、通電導体３に流れる電流の磁束に誘起されて電力を発生するコイル４を用いているので、外部電源などの付帯設備が不要である。
【００２５】
また、実施の形態１と同様に、本実施の形態においてもコイル４の出力を短絡することができる短絡スイッチ６を備えているので、電力発生部であるコイル４を動力源とする電動機器を停止させる際に、短絡スイッチ６を短絡すれば、コイル４に過大な電圧が誘起されることはない。その結果、信頼性の高い電力機器を得ることができる。
【００２６】
さらに、発熱部である遮断部１１の下方に電動ファンを設置しているので密閉容器２の内部の絶縁性流体を強制対流させる効果があると共に、遮断部１１の下部を直接冷却することができる。その結果、遮断部１１に温度勾配が生じるので、遮断部１１内部の絶縁性流体の対流を促進させることでき、遮断部１１内部の接点を冷却する効果も得られる。
【００２７】
実施の形態３．
図４は、この発明を実施するための実施の形態３に係る電力機器の断面模式図である。
この電力機器は、例えば交流電力系統においてその交流電力の送電線の母線として用いられるガス絶縁機器である。本実施の形態の電力機器１は、実施の形態１と同様の構成であるが、それに加えて通電導体３を流れる電流を計測するための変流器２１と、この変流器２１で計測された電流から短絡事故を検出する事故検出器２２とを備えている。事故検出器２２は、短絡事故を検出するとその信号を短絡スイッチ６に送信する。短絡スイッチ６は、事故検出器２２から受信した短絡事故の信号に基づいてコイル４の出力端子を短絡する。
【００２８】
図５は、本実施の形態におけるコイル４、電気機器部５、短絡スイッチ６、変流器２１および事故検出器２２の接続関係を示した模式図である。交流電力系統において、落雷などが原因で短絡事故が起こると、通電導体３に数十ｋＡの事故電流が短時間に流れる場合がある。このような大電流が通電導体３を流れた場合、短時間ではあるがコイル４で誘起される電力が増大し、電気機器部５に過大な電流が流れることになる。その結果、電気機器部５が破損あるいは故障する恐れがある。
【００２９】
本実施の形態のように、短絡事故などによって通電導体３に過大な事故電流が流れても変流器２１および事故検出器２２でその事故電流を検出して短絡スイッチ６でコイル４の出力端子を短絡するので、電気機器部５に過大な電流が流れることを防ぐことができる。
【００３０】
実施の形態４．
図６は、この発明を実施するための実施の形態４に係る電力機器の断面模式図である。
この電力機器は、例えば交流電力系統においてその交流電力の送電線の母線として用いられるガス絶縁機器である。本実施の形態の電力機器１は、実施の形態１と同様の構成であるが、それに加えて短絡スイッチ６と電気機器部５との間に切り離しスイッチ３１を備えている。
【００３１】
図７は、本実施の形態におけるコイル４、電気機器部５、短絡スイッチ６および切り離しスイッチ３１の接続関係を示した模式図である。図２に示す実施の形態１の構成においては、通電導体３の通電が維持された状態で短絡スイッチ６を短絡させて電気機器部５を取り外す場合でも、短絡スイッチ６を流れる短絡電流と短絡スイッチ６のオン抵抗（内部抵抗）とによって発生する電圧が電気機器部５に印加された状態となる。短絡スイッチ６のオン抵抗は小さくても、短絡電流が大きい場合、電気機器部５に印加され続ける電圧は、作業安全上問題となる場合がある。
【００３２】
本実施の形態のように、短絡スイッチ６と電気機器部５との間に切り離しスイッチ３１を設け、短絡スイッチ６を短絡した後に切り離しスイッチ３１を開くことで、電気機器部５に印加される電圧を除去することができる。その結果、電気機器部５をコイル４から完全に切り離すことができるので電気機器部５を安全に取り外すことができる。
【００３３】
さらに、切り離しスイッチ３１と短絡スイッチ６との接続点と、短絡スイッチ６との間、あるいは電気機器部５と短絡スイッチ６との接続点と、短絡スイッチ６との間に、抵抗体を接続しても良い。すなわち、短絡スイッチ６と抵抗体とを直列に接続しても良い。この場合、短絡スイッチ６を流れる短絡電流が大きくとも、コイル４に発生する電力を抵抗体で消費するので、コイル４に流れる短絡電流を抑制することができる。その結果、コイル４を保護することができ、電気機器部５をコイル４から完全に切り離すことができるので電気機器部５を安全に取り外すことができる。
【００３４】
実施の形態５．
図８は、この発明を実施するための実施の形態５に係る電力機器の断面模式図である。この電力機器は、例えば交流電力系統においてその交流電力の送電線の母線として用いられるガス絶縁機器である。実施の形態１の電力機器１の構成に加えて、密閉容器２は、その内壁に凹状に形成され、他の主な内壁に比べ通電導体３および通電導体接続部７から、離れた空間を有する凹部２ｃを備え、電気機器部５は凹部２ｃに配置される。
さらに、密閉容器２は、密閉容器２の気密性を保持したまま、密閉容器２の内部と外部とを電気的に接続する密閉端子８を備える。
また、短絡スイッチ６は密閉容器２の外側に配置され、コイル４と短絡スイッチ６の一端とは、一つの密閉端子８を介して接続され、電気機器部５と短絡スイッチ６の他端とは、別の密閉端子８を介して接続される。
【００３５】
実施の形態１で説明したように、密閉容器２の内部に電気機器部５を配置されるので、電気機器部５は、通電導体３を流れる電流による高電界空間内に配置される。すなわち、この高電界空間の電界分布は、電気機器部５の影響により局所的に不均一になることがある。本実施の形態５によれば、電気機器部５を凹部２ｃに配置することにより、電気機器部５を実施の形態１に比べ通電導体３から遠ざけて配置するので、通電導体３を流れる電流による電界分布に与える影響を軽減することができる。すなわち、より高い絶縁性を確保することができる。
【００３６】
さらに、短絡スイッチ６は、密閉容器２の外側に配置されるので、密閉容器２の内側に設置される場合に比べ通電導体３を流れる電流に起因する電磁ノイズの影響を低減される。
【００３７】
すなわち、本実施の形態５によれば、実施の形態１で説明した通電導体接続部７を冷却する効果または通電導体接続部７の温度を監視する効果などに加え、電気機器部５を凹部２ｃに配置することにより、通電導体３を流れる電流による電界分布に与える影響を軽減し、より高い絶縁性を確保することができる。さらに、短絡スイッチ６を、密閉容器２の外側に配置することで、通電導体３を流れる電流に起因する電磁ノイズの影響を低減することができる。これらの構成により、信頼性の高い電力機器を得ることができる。
【００３８】
実施の形態６．
図９および図１０は、この発明を実施するための実施の形態６に係る電力機器の断面模式図である。この電力機器は、例えば交流電力系統においてその交流電力の送電線の母線として用いられるガス絶縁機器である。実施の形態５の電力機器１の構成に加えて、電気機器部５を備える凹部２ｃとその他の密閉容器２の主部分とを仕切る仕切機構であるシャッター９を備える。図９は、シャッター９を閉鎖している状態を示し、図１０は、シャッター９が開放している状態を示す。なお、電力機器１の通常の使用状態では、図１０に示すように、シャッター９は開放される。
【００３９】
電気機器部５が電動ファンである場合、一般的な電動ファンの動作寿命回数は数万時間であるため、数十年の長期間停止されることなく連続で使用される電力機器では、この期間中に電気機器部５は数度交換または修理などのメインテナンスが必要である。
このメインテナンスを実行する場合、図９に示すように、シャッター９を閉鎖した後に、電気機器部５を備える凹部２ｃのみを開放する。すなわち、密閉容器２の主部分を開放することなく、メインテナンスを実行することができるので、メインテナンスに係る時間を短縮することができる。
【００４０】
すなわち、本実施の形態６によれば、実施の形態５で説明した効果に加え、電気機器部５を備える凹部２ｃとその他の密閉容器２の主部分とを仕切るシャッター９を備えることにより、メインテナンスに係る時間を短縮することができる。
【符号の説明】
【００４１】
１  電力機器、  ２  密閉容器、２ｃ  凹部、  ３  通電導体、  ４  コイル
５  電気機器部、  ６  短絡スイッチ、  ７  通電導体接続部、  ９  シャッター
１１  遮断部、  １２  駆動機構、  １３  絶縁ロッド
１４  操作装置、  １５  駆動機構カバー
２１  変流器、  ２２  事故検出器
３１  切り離しスイッチ
【図１】
2017122442.tif 000003
【図２】
2017122442.tif 000004
【図３】
2017122442.tif 000005
【図４】
2017122442.tif 000006
【図５】
2017122442.tif 000007
【図６】
2017122442.tif 000008
【図７】
2017122442.tif 000009
【図８】
2017122442.tif 000010
【図９】
2017122442.tif 000011
【図１０】
2017122442.tif 000012
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
通電導体と、
前記通電導体に流れる電流の磁束に誘起されて電力を発生する電力発生部と、
前記電力発生部で発生された電力を動力源とする電気機器部と、
前記電力発生部の出力を短絡させることができる短絡スイッチと、
前記通電導体、前記電力発生部、および前記電気機器部を内包し、絶縁性流体が封入された密閉容器と、
前記電気機器部への電力の供給を遮断する切り離しスイッチとを備える、電力機器。
【請求項２】
前記短絡スイッチに直列に接続する抵抗体をさらに備える、請求項１に記載の電力機器。
【請求項３】
前記通電導体に流れる電流量を計測する変流器をさらに備え、
前記変流器で計測された電流量に基づいて前記短絡スイッチが制御される、請求項１または請求項２に記載の電力機器。
【請求項４】
前記電力発生部は、中央に前記通電導体が貫通したリング状のコイルである、請求項１から請求項３のいずれか１項に記載の電力機器。
【請求項５】
前記通電導体は、該通電導体に流れる電流を遮断する遮断部を備える、請求項１から請求項４のいずれか１項に記載の電力機器。
【請求項６】
前記遮断部は、固定接点と可動接点とを内包し、前記密閉容器に封入された絶縁性流体と隔離された密閉構造である、請求項５に記載の電力機器。
【請求項７】
前記密閉容器の内壁に凹部が設けられており、前記凹部の内部に前記電気機器部を備える、請求項１から請求項６のいずれか１項に記載の電力機器。
【請求項８】
前記凹部の前記電気機器部を備える部分と、前記密閉容器の前記凹部の前記電気機器部を備える部分以外の部分とを仕切る仕切機構を備える、請求項７に記載の電力機器。
【請求項９】
前記短絡スイッチまたは前記切り離しスイッチは、前記密閉容器の外側に配置されている、請求項１から請求項８のいずれか１項に記載の電力機器。
【請求項１０】
前記電気機器部は、電動ファンまたは温度センサーである、請求項１から請求項９のいずれか１項に記載の電力機器。
【請求項１１】
前記電力機器は、ガス絶縁機器である、請求項１から請求項９のいずれか１項に記載の電力機器。
【国際調査報告】
2017122442.tif 000013
2017122442.tif 000014
2017122442.tif 000015
2017122442.tif 000016